(57)【特許請求の範囲】
【請求項１】
記録媒体が装着される装着部が設けられた本体部と、
該本体部を開閉する蓋体と、
該蓋体に蓋体の開閉方向と略同じ方向に移動自在に支持された操作釦と、
係合部と記録媒体を押圧して記録媒体の装着部への装着を解除する押圧部とを有すると共に本体部に回動自在に支持された回動レバーと、
該回動レバーの係合部と係合して蓋体を閉塞位置にロックするロック手段と、
操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、
蓋体を開放方向へ付勢する弾発手段と、
蓋体が所定の位置まで開放されたときに装着部への装着が解除された記録媒体を外部へ排出する排出手段とを備えた
ことを特徴とする記録媒体のイジェクト機構。
【請求項２】
ロック手段が蓋体に一体に設けられた
ことを特徴とする請求項１に記載の記録媒体のイジェクト機構。
【請求項３】
押圧手段が操作釦に一体に設けられた
ことを特徴とする請求項１に記載の記録媒体のイジェクト機構。
【請求項４】
押圧手段が操作釦に一体に設けられた
ことを特徴とする請求項２に記載の記録媒体のイジェクト機構。
【請求項５】
操作釦が記録媒体の排出方向と直交し、かつ、蓋体の面方向における蓋体の略中央部に設けられ、
ロック手段が記録媒体の排出方向と直交する方向における操作釦の両側に設けられた
ことを特徴とする請求項１に記載の記録媒体のイジェクト機構。
【請求項６】
操作釦が記録媒体の排出方向と直交し、かつ、蓋体の面方向における蓋体の略中央部に設けられ、
ロック手段が記録媒体の排出方向と直交する方向における操作釦の両側に設けられた
ことを特徴とする請求項２に記載の記録媒体のイジェクト機構。
【請求項７】
操作釦が記録媒体の排出方向と直交し、かつ、蓋体の面方向における蓋体の略中央部に設けられ、
ロック手段が記録媒体の排出方向と直交する方向における操作釦の両側に設けられた
ことを特徴とする請求項３に記載の記録媒体のイジェクト機構。
【請求項８】
操作釦が記録媒体の排出方向と直交し、かつ、蓋体の面方向における蓋体の略中央部に設けられ、
ロック手段が記録媒体の排出方向と直交する方向における操作釦の両側に設けられた
ことを特徴とする請求項４に記載の記録媒体のイジェクト機構。
【請求項９】
記録媒体が装着される装着部が設けられた本体部と、
装着部に装着された記録媒体に対する記録又は再生を行う記録再生手段と、
本体部を開閉する蓋体と、
該蓋体に蓋体の開閉方向と略同じ方向に移動自在に支持された操作釦と、
係合部と記録媒体を押圧して記録媒体の装着部への装着を解除する押圧部とを有すると共に本体部に回動自在に支持された回動レバーと、
該回動レバーの係合部と係合して蓋体を閉塞位置にロックするロック手段と、
操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、
蓋体を開放方向へ付勢する弾発手段と、
蓋体が所定の位置まで開放されたときに装着部への装着が解除された記録媒体を外部へ排出する排出手段とを備えた
ことを特徴とする記録又は再生装置。
【発明の詳細な説明】
【０００１】
【発明の属する技術分野】
本発明は記録媒体のイジェクト機構及びこれを用いた記録又は再生装置に関する。詳しくは、記録媒体のイジェクト操作を容易にすると共に記録又は再生装置の使い勝手の向上を図る技術に関する。
【０００２】
【従来の技術】
記録又は再生装置、例えば、直径が略６４ｍｍの光磁気ディスクや再生専用の光ディスク等のディスクをディスクテーブルに装着して該ディスクに対する記録若しくは再生又はこれらの双方を行うことのできるディスク記録又は再生装置がある。
【０００３】
このようなディスク記録又は再生装置の従来のものの一例を図８乃至図１２に示す。
【０００４】
ディスク記録又は再生装置ａは本体部ｂと該本体部ｂに回動自在に支持された蓋体ｃとを備え、本体部ｂは上方に開口された浅い箱状を為す下ケースｄと該下ケースｄ内に配置されたメカシャーシーｅとを有している（図８及び図１０参照）。
【０００５】
メカシャーシーｅにはディスクテーブルｆや図示しない光学ピックアップ等の所要の各部材が配置されている。そして、ディスクテーブルｆはその下方に配置されたスピンドルモーターｇのモーター軸ｈの上端部に固定され、スピンドルモーターｇの駆動力によって回転されるようになっている。また、ディスクテーブルｆには図示しないマグネットが埋設されている。
【０００６】
下ケースｄの前縁はその内側の部分が一段低くされた段差部ｉとされ（図１０参照）、該段差部ｉに係合部材ｊが図８及び図９に示すＡ１−Ａ２方向に移動自在に支持されている。係合部材ｊは上下方向に延びる垂直部ｋと該垂直部ｋの上端部から右方へ突出された係合部ｌとが一体に形成されて成る。そして、係合部ｌには右方へ行くに従って下方へ変位する傾斜縁ｍが形成されている。また、係合部材ｊは図示しないバネ部材によりＡ１方向へ付勢されている。
【０００７】
下ケースｄの前面部にはスライド摘子ｎがＡ１−Ａ２方向にスライド自在に支持されている（図８参照）。スライド摘子ｎは下ケースｄの前面に位置する被操作部ｏと該被操作部ｏから後方に突出された連結部ｐとが一体に形成されて成り、該連結部ｐの後端が係合部材ｊの垂直部ｋの下端部に連結されている。従って、スライド摘子ｎがＡ１方向にスライドされると係合部材ｊもＡ１方向に移動され、スライド摘子ｎがＡ２方向にスライドされると係合部材ｊもＡ２方向に移動される。
【０００８】
蓋体ｃは下方に開口された浅い箱状を為し、下ケースｄに後端部を回動支点として回動自在に支持されている。蓋体ｃの前端部にはその内面から突出するロック片ｑが設けられ、該ロック片ｑは蓋体ｃから下方へ突出された突出部ｒと該突出部ｒの下縁から前方へ突出されたロック部ｓとが一体に形成されて成る。
【０００９】
蓋体ｃの下側にはホルダーｔが設けられ、該ホルダーｔは蓋体ｃの後端部に回動自在に支持されている。ホルダーｔは前方、後方及び下方に開口されており、左右両側面部の下縁から互いに近づく方向に突出する保持片ｕ、ｕを有している。
【００１０】
ホルダーｔにはその上面に板バネ部材ｖの一端部が取り付けられており、該板バネ部材ｖの他端部は蓋体ｃの下面に弾接されている（図１０参照）。従って、蓋体ｃとホルダーｔとは板バネ部材ｖによって、互いに離間する方向へ付勢されている。そして、蓋体ｃ及びホルダーｔは互いにホルダーｔ及び蓋体ｃに対して回動可能であるが、蓋体ｃとホルダーｔとが所定の距離だけ離間すると図示しない連結機構によって蓋体ｃとホルダーｔとが連結され、蓋体ｃとホルダーｔとが連結されると所定の距離を保持した状態で両者が一体となって回動されるようになっている。
【００１１】
ディスクカートリッジｗはケース体内に図示しないディスクが回転可能に収納されて成り、該ディスクの中心部には磁性材料から成るコアが設けられている。
【００１２】
しかして、蓋体ｃが開放された状態からホルダーｔにディスクカートリッジｗを所定の位置まで挿入すると、図示しないカートリッジロック機構によってディスクカートリッジｗがホルダーｔ内でロックされ前後方向の移動を規制される。そして、この状態から蓋体ｃを下方へ押圧すると、蓋体ｃが回動されて略下方へ移動され、蓋体ｃの移動に伴ってディスクカートリッジｗを保持したホルダーｔも下方へ移動される。
【００１３】
ホルダーｔの下方への移動によりディスクカートリッジｗのディスクの中心部がディスクテーブルｆに載置され、ディスクの中心部に設けられたコアがディスクテーブルｆに埋設されたマグネットに吸着され、これによりディスクがディスクテーブルｆに装着される。そして、ディスクがディスクテーブルｆのマグネットに吸着された状態においては、図示しないホルダーロック機構によってホルダーｔがロックされる。
【００１４】
同時に、上記した蓋体ｃの下方への移動により、ロック片ｑが図９に２点鎖線で示す状態から下方へ移動され該ロック片ｑのロック部ｓが係合部材ｊの傾斜縁ｍと摺接し係合部材ｊがバネ部材の付勢力に抗して図８及び図９に示すＡ２方向へ移動される（図９に２点鎖線で示す係合部材ｊの状態）。そして、ロック片ｑのロック部ｓが係合部材ｊの係合部ｌの下端に至ったところで係合部材ｊがバネ部材によってＡ１方向へ戻され、これにより係合部材ｊの係合部ｌとロック片ｑのロック部ｓが係合され（図９に実線で示す係合部材ｊとロック片ｑの状態）蓋体ｃが閉塞位置にロックされる（図１０参照）。
【００１５】
以下に、ディスクカートリッジｗのイジェクト動作について説明する（図１０乃至図１２参照）。
【００１６】
図１０に示すように、指ｘをスライド摘子ｎに宛がい、該スライド摘子ｎを図８及び図９に示すＡ２方向へスライドさせる。スライド摘子ｎがＡ２方向へスライドされると、係合部材ｊがＡ２方向へ移動されて該係合部材ｊとロック片ｑとの係合が解除され、蓋体ｃが板バネ部材ｖのバネ力によってホルダーｔに対して略上方へ回動される。そして、蓋体ｃが所定の角度回動されると蓋体ｃとホルダーｔとが所定の距離だけ離間して上記した連結機構によって連結され、ここで蓋体ｃの上方への移動が規制される（図１１参照）。このときホルダーｔはホルダーロック機構によってロックされているため回動されず、ディスクはディスクテーブルｆに装着されたままである。
【００１７】
蓋体ｃが上方へ移動されると、蓋体ｃの前面と下ケースｄの前面との間に隙間ｙが形成される。そして、指ｘを隙間ｙに挿入するようにして蓋体ｃの前面の下縁に宛がい、さらに蓋体ｃを略上方へ回動させる。
【００１８】
蓋体ｃをさらに上方へ回動させるとホルダーロック機構によるホルダーｔのロックが解除されてホルダーｔが蓋体ｃと一体となって上方へ回動され、ディスクのディスクテーブルｆへの装着が解除される。このとき、カートリッジロック機構によってホルダーｔ内にロックされていたディスクカートリッジｗのロックが解除され、図示しない戻しばねによってディスクカートリッジｗが外部へ排出される（図１２参照）。
【００１９】
【発明が解決しようとする課題】
ところが、上記した従来のディスク記録又は再生装置ａにあっては、ディスクカートリッジｗが排出されるときに、必ず指ｘが蓋体ｃの前面の下縁に宛がわれているため、指ｘが蓋体ｃの前面と下ケースｄの前面との間に形成された隙間ｙに位置されている（図１２参照）。従って、図１２に示すように、排出されるディスクカートリッジｗの前面が指ｘに接触してしまい使い勝手が悪いという問題がある。
【００２０】
また、蓋体ｃの下縁に宛がっていた指ｘを一度蓋体ｃから外し、改めて排出されたディスクカートリッジｗを把持してホルダーｔから引き抜かなければならず、ディスクカートリッジｗの取出が面倒であるという問題もある。
【００２１】
さらに、ディスクカートリッジｗを取り出すには、指ｘでスライド摘子ｎをスライドさせた後、指ｘで蓋体ｃを開放し、さらに指ｘで排出されたディスクカートリッジｗを把持してホルダーｔから引き抜かなければならないため、指ｘで行う動作が多くディスクカートリッジｗの取出に非常に手間がかかるという問題もある。
【００２２】
そこで、本発明記録媒体のイジェクト機構及びこれを用いた記録又は再生装置は、上記した問題点を克服し、記録媒体のイジェクト操作を容易にすると共に記録又は再生装置の使い勝手の向上を図ることを課題とする。
【００２３】
【課題を解決するための手段】
本発明記録媒体のイジェクト機構は、上記した課題を解決するために、記録媒体が装着される装着部が設けられた本体部と、該本体部を開閉する蓋体と、該蓋体に蓋体の開閉方向と略同じ方向に移動自在に支持された操作釦と、係合部と記録媒体を押圧して記録媒体の装着部への装着を解除する押圧部とを有すると共に本体部に回動自在に支持された回動レバーと、該回動レバーの係合部と係合して蓋体を閉塞位置にロックするロック手段と、操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、蓋体を開放方向へ付勢する弾発手段と、蓋体が所定の位置まで開放されたときに装着部への装着が解除された記録媒体を外部へ排出する排出手段とを設けたものである。
【００２４】
また、本発明記録又は再生装置は、上記した課題を解決するために、記録媒体が装着される装着部が設けられた本体部と、装着部に装着された記録媒体に対する記録又は再生を行う記録再生手段と、本体部を開閉する蓋体と、該蓋体に蓋体の開閉方向と略同じ方向に移動自在に支持された操作釦と、係合部と記録媒体を押圧して記録媒体の装着部への装着を解除する押圧部とを有すると共に本体部に回動自在に支持された回動レバーと、該回動レバーの係合部と係合して蓋体を閉塞位置にロックするロック手段と、操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、蓋体を開放方向へ付勢する弾発手段と、蓋体が所定の位置まで開放されたときに装着部への装着が解除された記録媒体を外部へ排出する排出手段とを設けたものである。
【００２５】
従って、本発明記録媒体のイジェクト機構及び記録又は再生装置にあっては、操作釦を操作するだけで記録媒体のイジェクトが為される。
【００２６】
【発明の実施の形態】
以下に、本発明記録媒体のイジェクト機構及びこれを用いた記録又は再生装置の実施の形態を添付図面を参照して説明する。
【００２７】
尚、以下に示した実施の形態は、本発明記録又は再生装置を直径が略６４ｍｍの光磁気ディスクや再生専用の光ディスク等のディスクをディスクテーブルに装着して該ディスクに対する記録若しくは再生又はこれらの双方を行うことのできるディスク記録又は再生装置に適用し、また、本発明記録媒体のイジェクト機構をこのディスク記録又は再生装置に設けられた記録媒体のイジェクト機構に適用したものである。
【００２８】
ディスク記録又は再生装置１は本体部２と該本体部２に回動自在に支持された蓋体３とを備え、本体部２は上方に開口された浅い箱状を為す下ケース４と該下ケース４内に配置されたメカシャーシー５とを有している（図１及び図２参照）。
【００２９】
メカシャーシー５にはディスクテーブル６や図示しない光学ピックアップ等の所要の各部材が配置されている。そして、ディスクテーブル６はその下方に配置されたスピンドルモーター７のモーター軸７ａの上端部に固定され、スピンドルモーター７の駆動力によって回転されるようになっている（図２参照）。また、ディスクテーブル６には図示しないマグネットが埋設されている。
【００３０】
下ケース４の前壁部４ａの上端部はその内側の部分が一段低くされた段差部４ｂとされている。そして、下ケース４の前壁部４ａの内側には回動レバー８が回動自在に支持されており、該回動レバー８はその支点軸８ａが前壁部４ａに沿って延びるように配置されている（図２参照）。
【００３１】
回動レバー８は左右方向に長く形成され、支点軸８ａに回動自在に支持された軸部９と該軸部９から略垂直方向に突出された垂直部１０と軸部９から略水平方向に突出された水平部１１とが一体に形成されている。
【００３２】
垂直部１０の上端部からは略後方に突出する係合部１０ａが形成され、該係合部１０ａの先端面が後方へ行くに従って下方へ変位する被押圧面１０ｂとして、また、係合部１０ａの下面が係止面１０ｃとして形成されている。そして、水平部１１の先端部は上方に稍突出された押圧部１１ａとして形成されている。
【００３３】
回動レバー８は図示しない捩じりコイルバネによって図２乃至図７に示すＢ１方向、即ち、水平部１１が略下方へ移動する方向へ付勢されている。
【００３４】
蓋体３は下方に開口された浅い箱状を為し、下ケース４に後端部を回動支点として回動自在に支持されている。蓋体３の前端部の左右方向における中央部には、上方へ突出するように形成された釦配置部１２が形成され、該釦配置部１２には前方へ開口する配置用切欠１２ａが形成されている。
【００３５】
配置用切欠１２ａには操作釦１３が略上下方向に移動自在に支持され、該操作釦１３は被押圧部１４と前面部１５と押圧部１６とが一体に形成されて成る。
【００３６】
被押圧部１４は略上下方向を向き該被押圧部１４の先端縁から下方へ突出するようにして前面部１５が形成されている。前面部１５の先端の後端部からはさらに下方へ突出された薄肉の閉塞片１５ａが形成され、該閉塞片１５ａは蓋体３が閉塞された状態においてケース体４の段差部４ｂの真上に位置される（図２及び図４参照）。
【００３７】
押圧部１６は操作釦１３の被押圧部１４が押圧されたときに回動レバー８の被押圧面１０ｂを押圧する押圧手段として形成され、被押圧部１４の前端寄りの位置から下方へ突出されている。そして、押圧部１６の先端面は後方へ行くに従って下方へ変位する押圧面１６ａとして形成されている。
【００３８】
バネ部材１７は板状を為し、その後端部が蓋体３の釦配置部１２の下面に加締めによって取り付けられ、バネ部材１７の釦配置部１２から前方へ突出した部分に操作釦１３の被押圧部１４の押圧部１６から後側の部分の下面が取り付けられている。従って、操作釦１３の被押圧部１４を下方に押圧すればバネ部材１７の弾発力に抗して操作釦１３が蓋体３に対して下方へ移動され、被押圧部１４への押圧を解除すればバネ部材１７の弾発力によって操作釦１３が蓋体３に対して上方へ移動され元の位置に戻るようになっている。
【００３９】
蓋体３にはロック片１８、１８が形成され、該ロック片１８、１８は回動レバー８の係合部１０ａと係合して蓋体３を閉塞位置にロックするロック手段としての役割を果たすものである。
【００４０】
ロック片１８、１８は蓋体３の前端寄りの位置で操作釦１３の両脇の位置に下方へ突出するように形成されている。そして、ロック片１８、１８は、その先端部に前方へ突出した係合爪１８ａ、１８ａが形成され、該係合爪１８ａ、１８ａの上面が回動レバー８の係止面１０ｃと係合する係止面１８ｂ、１８ｂとして形成されている。また、ロック片１８、１８の係止面１８ｂ、１８ｂの先端に連続する面は、後方へ行くに従って下方へ変位する摺接面１８ｃ、１８ｃとして形成されている。
【００４１】
蓋体３の下側にはホルダー１９が設けられ、該ホルダー１９は蓋体３の後端部に回動自在に支持されている。ホルダー１９は前方、後方及び下方に開口されており、上面部１９ａと該上面部１９ａの左右両側縁から垂設された側面部１９ｂ、１９ｂと該側面部１９ｂ、１９ｂの下縁から互いに近づく方向に突出された保持部１９ｃ、１９ｃとが一体に形成されて成る。
【００４２】
ホルダー１９の上面部１９ａには、上記した従来のディスク記録又は再生装置ａに設けられた板バネ部材ｖと同様の図示しない板バネ部材の一端部が取り付けられており、該板バネ部材の他端部が蓋体３の下面に弾接されている。従って、蓋体３とホルダー１９とは板バネ部材によって、互いに離間する方向へ付勢されている。
【００４３】
尚、ディスク記録又は再生装置１にあっては、蓋体３及びホルダー１９は互いにホルダー１９及び蓋体３に対して回動可能であり、また、蓋体３とホルダー１９とが所定の距離だけ離間すると図示しない連結機構によって連結され、蓋体３とホルダー１９が連結されると所定の距離を保持した状態で両者が一体となって回動されることは、従来のディスク記録又は再生装置ａと同様である。
【００４４】
蓋体３及びホルダー１９は蓋体３の開放方向へ向けて図示しない付勢手段によって付勢されている。
【００４５】
ディスクカートリッジ２０はケース体２０ａ内に図示しないディスクが回転可能に収納されて成り、該ディスクの中心部には磁性材料から成るコアが設けられている。
【００４６】
蓋体３が開放された状態からホルダー１９にディスクカートリッジ２０を所定の位置まで挿入すると、図示しないカートリッジロック機構によってディスクカートリッジ２０がホルダー１９内でロックされ前後方向の移動を規制される。そして、この状態から蓋体３を下方へ押圧すると、蓋体３が回動されて略下方へ移動され、蓋体３の移動に伴ってディスクカートリッジ２０を保持したホルダー１９も下方へ移動される。
【００４７】
ホルダー１９の下方への移動によりディスクカートリッジ２０のディスクの中心部がディスクテーブル６に載置され、ディスクの中心部に設けられたコアがディスクテーブル２０に埋設されたマグネットに吸着され、これによりディスクがディスクテーブル６に装着される。そして、ディスクがディスクテーブル６のマグネットに吸着された状態においては、図示しないホルダーロック機構によってホルダー１９がロックされる。
【００４８】
同時に、上記した蓋体３の下方への移動により、蓋体３に形成されたロック片１８、１８の摺接面１８ｃ、１８ｃが回動レバー８の被押圧面１０ｂと摺接し回動レバー８が捩じりコイルバネの付勢力に抗して図２乃至図７に示すＢ２方向へ回動される。そして、係合爪１８ａ、１８ａの先端が回動レバー８の被押圧面１０ｂの下端に至ったところで回動レバー８が捩じりコイルバネによってＢ１方向へ戻され、これによりロック片１８、１８の係止面１８ｂ、１８ｂと回動レバー８の係止面１０ｃとが係合され蓋体３が閉塞位置にロックされる（図３参照）。
【００４９】
係止面１８ｂ、１８ｂと係止面１０ｃとが係合され蓋体３が閉塞位置にロックされた状態において、操作釦１３の押圧部１６の押圧面１６ａが回動レバー８の被押圧面１０ｂに当接した状態とされる（図２参照）。また、この状態においては、回動レバー８の押圧部１１ａの上面がホルダー１９に保持されたディスクカートリッジ２０の前端部の下面に当接又は近接した状態とされる（図２参照）。
【００５０】
上記のようにディスクカートリッジ２０のディスクがディスクテーブル６に装着されスピンドルモーター７が回転されると、モーター軸７ａの上端部に固定されたディスクテーブル６が回転されてディスクが回転され、図示しない記録再生手段として設けられた光ピックアップ等の駆動によってディスクに対する情報信号の記録又は再生が行われる。
【００５１】
以下に、ディスクカートリッジ２０のイジェクト動作について説明する（図２乃至図７参照）。
【００５２】
図２及び図３に示す蓋体３の閉塞位置へのロック状態から、指（例えば、人差指や中指）２１を操作釦１３に宛がい、その被押圧部１４を下方へ押圧操作する。
【００５３】
尚、被押圧部１４を下方へ押圧しようとするときには、人差指や中指等の親指以外の指２１で被押圧部１４を押圧操作することが多く、通常、指２１の下側には親指２２が位置することになる。また、仮に、親指２２で被押圧部１４を押圧操作した場合には、通常、親指２２の下側には親指以外の人差指等２１が位置することになる。従って、何れの場合にあっても、被押圧部１４を押圧している指２１（２２）の下方に指２２（２１）が位置し、両者の間に空間２３が形成されている。
【００５４】
被押圧部１４を下方へ押圧すると、押圧部１６が下方へ移動され押圧面１６ａが回動レバー８の被押圧面１０ｂ上を摺動される（図４参照）。押圧部１６の下方への移動により回動レバー８がＢ２方向へ稍回動され、これにより蓋体３に形成されたロック片１８、１８と回動レバー８の係合部１０ａとの係合が解除される（図５参照）。そして、ロック片１８、１８と回動レバー８の係合部１０ａとの係合が解除された状態においては、蓋体３に対して操作釦１３が下方側へ移動するためのストロークが残されており、従って、このストローク分、蓋体３は操作釦１３に対して略上方へ回動することが可能である。
【００５５】
回動レバー８がＢ２方向へ回動されると、同時に、ホルダー１９に保持されたディスクカートリッジ２０の前端部の下面に当接又は近接されていた回動レバー８の押圧部１１ａが、ディスクカートリッジ２０の下面を上方へ稍押圧し、これによりディスクカートリッジ２０が略上方へ向けて移動され、該ディスクカートリッジ２０のディスクのディスクテーブル６への装着が解除される（図４及び図５参照）。そして、ディスクカートリッジ２０に略上方への移動力が付与されて該ディスクカートリッジ２０を保持したホルダー１９に略上方への移動力が付与されると、ホルダー１９のホルダーロック機構によるロックが解除されるようになっており、ホルダー１９がディスクカートリッジ２０とともに略上方へ移動され、また、蓋体３が上記したように残されたストローク分操作釦１３に対して略上方へ回動することが可能であるため、ホルダー１９とともに略上方へ回動される。
【００５６】
操作釦１３を押圧していた指２１を被押圧部１４から離し、被押圧部１４への押圧を解除すると、蓋体３のロック片１８、１８によるロック及びホルダー１９のホルダーロック機構によるロックが解除されているため、蓋体３及びホルダー１９を開放方向へ向けて付勢する付勢手段によって蓋体３及びホルダー１９が一体となって開放方向へ回動される。そして、操作釦１３はバネ部材１７によって元の位置に戻る。このとき、カートリッジロック機構によってホルダー１９内にロックされていたディスクカートリッジ２０のロックが解除され、排出手段として設けられた図示しない戻しばねによってディスクカートリッジ２０がホルダー１９から排出される（図６及び図７参照）。
【００５７】
ディスクカートリッジ２０がホルダー１９から排出されると、上記した指２１と指２２の間に形成された空間２３に排出されたディスクカートリッジ２０の前端部が挿入される（図６参照）。従って、操作者は指２１と指２２を互いに近づければ、排出されたディスクカートリッジ２０を把持することができ、把持したディスクカートリッジ２０をホルダー１９から引き抜くことによりディスクカートリッジ２０をディスク記録又は再生装置１から簡単に取り出すことができる。
【００５８】
尚、蓋体３及びホルダー１９が開放方向へ回動されたときには、一端部がホルダー１９に取り付けられた板バネ部材によって蓋体３がホルダー１９よりも開放方向へ大きく回動され、ディスクカートリッジ２０が操作釦１３の閉塞片１５ａや蓋体３のロック片１８、１８に接触することなく適正に排出されるようになっている（図６及び図７参照）。
【００５９】
以上に記載した通り、ディスク記録又は再生装置１にあっては、操作釦１３の被押圧部１４を押圧操作し該押圧操作を解除することによりディスクカートリッジ２０がイジェクトされるため、ディスクカートリッジ２０のホルダー１９からの排出時に指２１（２２）にディスクカートリッジ２０が接触してしまうことがなく、ディスク記録又は再生装置１の使い勝手の向上を図ることができる。
【００６０】
また、ディスクカートリッジ２０のイジェクトが操作釦１３の被押圧部１４を押圧操作し当該押圧操作を解除するだけで行われるため、イジェクト操作が極めて簡単であり、ディスクカートリッジ２０の取出を迅速かつ容易に行うことができる。
【００６１】
ディスク記録又は再生装置１にあっては、ロック片１８、１８が蓋体３に一体に形成されているので、部品点数が低減され、ディスク記録又は再生装置１の製造コストの低減を図ることができる。
【００６２】
また、操作釦１３に押圧部１６が一体に形成されているので、部品点数が一層低減され、ディスク記録又は再生装置１の一層の製造コストの低減を図ることができる。
【００６３】
さらに、ロック片１８、１８が蓋体３の略中央部に設けられた操作釦１３の左右に離間して設けられているので、蓋体３の閉塞位置におけるロック状態が安定したものとなる。
【００６４】
尚、上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【００６５】
【発明の効果】
以上に記載したところから明らかなように、本発明記録媒体のイジェクト機構は、記録媒体が装着される装着部が設けられた本体部と、該本体部を開閉する蓋体と、該蓋体に蓋体の開閉方向と略同じ方向に移動自在に支持された操作釦と、係合部と記録媒体を押圧して記録媒体の装着部への装着を解除する押圧部とを有すると共に本体部に回動自在に支持された回動レバーと、該回動レバーの係合部と係合して蓋体を閉塞位置にロックするロック手段と、操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、蓋体を開放方向へ付勢する弾発手段と、蓋体が所定の位置まで開放されたときに装着部への装着が解除された記録媒体を外部へ排出する排出手段とを備えたことを特徴とする。
【００６６】
従って、操作釦を操作し該操作を解除することにより記録媒体がイジェクトされるため、記録媒体の排出時に指に記録媒体が接触してしまうことがない。
【００６７】
また、記録媒体のイジェクトが操作釦を操作し該操作を解除するだけで行われるため、イジェクト操作が極めて簡単であり、記録媒体の取出を迅速かつ容易に行うことができる。
【００６８】
さらに、記録媒体が排出されるときには、操作釦を操作した指と他の指との間に排出される記録媒体が挿入され易く、操作者は２本の指を互いに近づければ排出された記録媒体を把持することができ、記録媒体の取出を簡単に行うことができる。
【００６９】
請求項２に記載した発明にあっては、ロック手段を蓋体に一体に設けたので、部品点数が低減され、製造コストの低減を図ることができる。
【００７０】
請求項３及び請求項４に記載した発明にあっては、押圧手段を操作釦に一体に設けたので、部品点数が一層低減され、一層の製造コストの低減を図ることができる。
【００７１】
請求項５乃至請求項８に記載した発明にあっては、操作釦を記録媒体の排出方向と直交し、かつ、蓋体の面方向における蓋体の略中央部に設け、ロック手段を記録媒体の排出方向と直交する方向における操作釦の両側に設けたので、蓋体の閉塞位置におけるロック状態が安定したものとなる。
【００７２】
また、本発明記録又は再生装置は、記録媒体が装着される装着部が設けられた本体部と、装着部に装着された記録媒体に対する記録又は再生を行う記録再生手段と、本体部を開閉する蓋体と、該蓋体に蓋体の開閉方向と略同じ方向に移動自在に支持された操作釦と、係合部と記録媒体を押圧して記録媒体の装着部への装着を解除する押圧部とを有すると共に本体部に回動自在に支持された回動レバーと、該回動レバーの係合部と係合して蓋体を閉塞位置にロックするロック手段と、操作釦が操作されたときに回動レバーの係合部を押圧して回動レバーを一の方向へ回動させてロック手段と係合部との係合状態を解除すると共に回動レバーの押圧部による記録媒体への押圧を行わせる押圧手段と、蓋体を開放方向へ付勢する弾発手段と、蓋体が所定の位置まで開放されたときに装着部への装着が解除された記録媒体を外部へ排出する排出手段とを備えたことを特徴とする。
【００７３】
従って、操作釦を操作し該操作を解除することにより記録媒体がイジェクトされるため、記録媒体の排出時に指に記録媒体が接触してしまうことがない。
【００７４】
また、記録媒体のイジェクトが操作釦を操作し該操作を解除するだけで行われるため、イジェクト操作が極めて簡単であり、記録又は再生装置からの記録媒体の取出を迅速かつ容易に行うことができる。
【００７５】
さらに、記録媒体が排出されるときには、操作釦を操作した指と他の指との間に排出される記録媒体が挿入され易く、操作者は２本の指を互いに近づければ排出された記録媒体を把持することができ、記録媒体の取出を簡単に行うことができ、記録又は再生装置の使い勝手の向上を図ることができる。
【図面の簡単な説明】
【図１】図２乃至図７と共に本発明記録媒体のイジェクト機構及びこれを用いた記録又は再生装置の実施の形態を示すものであり、本図は本発明記録又は再生装置を適用したディスク記録又は再生装置の蓋体が開放された状態を示す概略斜視図である。
【図２】図３乃至図７と共にディスクカートリッジのイジェクト動作を示すものであり、本図は蓋体が閉塞位置にロックされた状態を一部を断面にして示す概略側面図である。
【図３】蓋体が閉塞位置にロックされた状態を別の箇所の一部を断面にして示す概略側面図である。
【図４】操作釦に対する押圧操作が為された状態を一部を断面にして示す概略側面図である。
【図５】操作釦に対する押圧操作が為された状態を別の箇所の一部を断面にして示す概略側面図である。
【図６】ディスクカートリッジがイジェクトされた状態を一部を断面にして示す概略側面図である。
【図７】ディスクカートリッジがイジェクトされた状態を別の箇所の一部を断面にして示す概略側面図である。
【図８】図９乃至図１２と共に従来のディスク記録又は再生装置を示すものであり、本図は蓋体が開放された状態を示す概略斜視図である。
【図９】係合部材とロック片の動作を示す拡大斜視図である。
【図１０】図１１及び図１２と共にディスクカートリッジのイジェクト動作を示すものであり、本図は蓋体が閉塞位置にロックされた状態を一部を断面にして示す概略側面図である。
【図１１】蓋体が所定の角度回動され蓋体と本体部との間に隙間が形成された状態を一部を断面にして示す概略側面図である。
【図１２】ディスクカートリッジがホルダーから排出される状態とそのときの問題点を一部を断面にして示す概略側面図である。
【符号の説明】
１…ディスク記録又は再生装置、２…本体部、３…蓋体、６…ディスクテーブル（装着部）、８…回動レバー、１０ａ…係合部、１１ａ…押圧部、１３…操作釦、１６…押圧部（押圧手段）、１８…ロック片（ロック手段）、２０…ディスクカートリッジ（記録媒体）
【図１】
0004029503.tif 000002
【図２】
0004029503.tif 000003
【図３】
0004029503.tif 000004
【図４】
0004029503.tif 000005
【図５】
0004029503.tif 000006
【図６】
0004029503.tif 000007
【図７】
0004029503.tif 000008
【図８】
0004029503.tif 000009
【図９】
0004029503.tif 000010
【図１０】
0004029503.tif 000011
【図１１】
0004029503.tif 000012
【図１２】
0004029503.tif 000013